【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
端末を第一の無線通信システムから第二の無線通信システムへ切り換える方法であって、
前記第一の通信システム内の少なくとも一つの基地局について、少なくとも一つのパラメータの少なくとも一つの測定値を得ることと、
前記少なくとも一つの測定値に基づいて測定基準を導出することと、
前記測定基準に基づいて、前記端末が前記第一の通信システムの受信地域内にあるか否かを判定することと、
前記端末が前記第一の通信システムの受信地域の外にあるものと考えられるのであれば、前記第二の通信システムへの切り換えを開始することとを備える方法。
【請求項２】
前記第二の通信システムへの切り換えは、十分な信号品質を持った少なくとも一つの信号が、前記第二の通信システムから受信された場合にのみ開始される請求項１に記載の方法。
【請求項３】
前記測定基準は、前記通信システム内の基地局から前記端末によって受信された信号の品質に基づいて導出される請求項１に記載の方法。
【請求項４】
アクティブセット、候補セット、及び隣接セットから選択された一つ又は複数のセット内の基地局から前記端末によって受信された信号の品質に基づいて導出される請求項１に記載の方法。
【請求項５】
前記判定することは、更に、測定基準閾値に基づく請求項１に記載の方法。
【請求項６】
前記測定基準閾値は固定値である請求項５に記載の方法。
【請求項７】
前記測定基準閾値は、順応的な値である請求項５に記載の方法。
【請求項８】
前記測定基準閾値は、前記第二の通信システムのために取得された一つ又は複数の測定値に基づいて判定される請求項５に記載の方法。
【請求項９】
前記判定することは、更に、タイマに基づく請求項５に記載の方法。
【請求項１０】
前記測定基準が前記タイマの持続時間にわたって前記測定基準閾値よりも下であるならば、前記端末は、前記第一の通信システムの受信地域の外にあると考えられる請求項９に記載の方法。
【請求項１１】
前記タイマ持続時間は、順応的な値である請求項１０に記載の方法。
【請求項１２】
前記タイマ持続時間は、前記第一の通信システムのために取得された一つ又は複数の測定値に基づいて判定される請求項１１に記載の方法。
【請求項１３】
前記第二の通信システム内の少なくとも一つの基地局が、十分な信号品質で、前記端末によって受信された場合にのみ前記切り換えが開始される請求項１に記載の方法。
【請求項１４】
前記第一及び第二の通信システムは、少なくとも一つの共通のサービスを提供する請求項１に記載の方法。
【請求項１５】
前記少なくとも１つの共通のサービスはパケットデータサービスを含む請求項１に記載の方法。
【請求項１６】
前記第一の通信システムはＩＳ−８５６システムであり、前記第二の通信システムはｃｄｍａ２０００システムである請求項１に記載の方法。
【請求項１７】
第一の無線通信システム内の少なくとも一つの基地局のために、少なくとも一つのパラメータの少なくともひとつの測定値を取得し、前記少なくとも一つの測定値に基づいて測定基準を導出するように動作する測定基準計算ユニットと、
前記測定基準に基づいて、前記第一の通信システムの受信地域内に前記端末があるか否かを判定するように動作する受信地域判定ユニットと、
前記端末が前記第一の通信システムの受信地域の外にあると考えられる場合には、第二の無線通信システムへの切り換えを開始するように動作するコントローラとを備える端末。
【請求項１８】
前記測定基準は、十分な信号品質で前記端末によって受信された前記第一の通信システム内の基地局を含むアクティブセットに関連している請求項１７に記載の端末。
【請求項１９】
アクティブセット、候補セット、及び隣接セットから選択された一つ又は複数のセット内の基地局から、前記端末によって受信された信号の品質に基づいて導出される請求項１７に記載の端末。
【請求項２０】
第一の無線通信システム内の少なくとも一つの基地局のために、少なくとも一つのパラメータの少なくとも一つの測定値を取得する手段と、
前記少なくとも一つの測定値に基づいて測定基準を導出する手段と、
前記測定基準に基づいて、前記第一の通信システムの受信地域内に前記端末があるか否かを判定する手段と、
前記端末が前記第一のシステムの受信地域の外にあると考えられる場合には、第二の無線通信システムへの切り換えを開始する手段とを備える装置。
【請求項２１】
第一の無線通信システム内の少なくとも一つの基地局のために、少なくとも一つのパラメータの少なくとも一つの測定値を受信し、
前記少なくとも一つの測定値に基づいて測定基準を導出し、
前記測定基準に基づいて、前記第一の通信システムの受信地域内に端末があるか否かを判定し、
前記第一の通信システムの受信地域の外に前記端末があると考えられる場合には、第二の無線通信システムへの切り換えを開始するためにデジタル情報を変換することが可能なデジタル信号処理装置に通信可能に接続されたメモリ。
【請求項２２】
無線通信システム内の端末のための受信地域を判定する方法であって、
前記無線通信システム内の少なくとも一つの基地局のために、少なくとも一つの信号品質測定値を取得することと、
前記少なくとも一つの信号品質測定値に基づいて測定基準を導出することと、
前記測定基準に基づいて前記無線通信システムの受信地域内に前記端末があるか否かを判定することとを備える方法。
【請求項２３】
前記測定基準は、アクティブセット、候補セット、及び隣接セットから選択された一つ又は複数のセット内の基地局について、信号品質測定値に基づいて導出される請求項２２に記載の方法。
【請求項２４】
前記測定基準は、前記少なくとも一つの信号品質測定値の合計に基づいて導出される請求項２２に記載の方法。
【請求項２５】
前記測定基準は、前記少なくとも一つの信号品質測定値の最大値に基づいて導出される請求項２２に記載の方法。
【請求項２６】
前記測定基準がタイマの持続時間にわたって測定基準閾値より下であれば、前記端末は、前記無線通信システムの受信地域の外にあると考えられる請求項２２に記載の方法。
【請求項２７】
複数の通信システムの間で端末を切り換える方法であって、
前記端末のための好適なシステムを識別することと、
前記端末の動作状態を判定することと、
前記端末によって取得された受信地域を判定することと、
前記端末の現在のデータ要求を判定することと、
前記端末のための好適なシステム、前記端末の動作状態、前記端末によって取得された受信地域、及び前記端末の現在のデータ要求に基づいて前記複数の通信システムの間で前記端末を切り換えることとを備える方法。
【請求項２８】
もしも前記好適なシステムの受信地域の下であれば、前記端末は前記好適なシステムに切り換えられる請求項２７に記載の方法。
【請求項２９】
もしも前記端末がアイドル動作状態にあり、現在サービスを受信していないのであれば、前記端末は、前記好適なシステムに切り換えられる請求項２７に記載の方法。
【請求項３０】
前記好適なシステムはパケットデータシステムであり、前記端末は、もしも送るデータがある場合には、前記好適なシステムに切り換わる請求項２７に記載の方法。
【請求項３１】
端末のための好適なシステムを識別する手段と、
前記端末の動作状態を判定する手段と、
前記端末によって取得された受信地域を判定する手段と、
前記端末の現在のデータ要求を判定する手段と、
前記端末のための好適なシステム、前記端末の動作状態、前記端末によって取得された受信地域、及び前記端末の現在のデータ要求に基づいて複数の通信システムの間で前記端末を切り換える手段とを備える装置。
【手続補正２】
【補正対象書類名】明細書
【補正対象項目名】００３８
【補正方法】変更
【補正の内容】
【００３８】
そうでなければ、ステップ３２２で判定されたように、もしもＳｗｉｔｃｈ測定基準がＳｗｉｔｃｈ測定基準より下であれば、Ｓｗｉｔｃｈタイマがスタートする（ステップ３２４）。その後、Ｓｗｉｔｃｈタイマが満了したか否かが定期的に判定される（ステップ３２６）。もしもこの答えが「Ｎｏ」であれば、現在のＳＮＲ測定に基づいて、Ｓｗｉｔｃｈ測定基準が、現在の時間瞬間について計算される（ステップ３２８）。そして、新たに計算されたＳｗｉｔｃｈ測定基準が未だにＳｗｉｔｃｈ閾値より下にあるか否かが再び判定される（ステップ３３０）。もしもこの答えが「Ｙｅｓ」であれば、処理はステップ３２４に戻る。この実施では、Ｓｗｉｔｃｈタイマの満了の前の任意の時間において、Ｓｗｉｔｃｈ測定基準がＳｗｉｔｃｈ閾値より上に上がれば（すなわち、ステップ３３０に対する答えが「Ｎｏ」であれば）、端末は、現在のシステムの受信地域内にあると考えられ、処理はステップ２１０に戻る。